(57)【要約】【課題】  精算機に追加入金機能を設けて、釣銭の支払をより大きい金種で支払うことによって、釣銭用の小銭支払を減らし、小銭を補給する回数を減らすことにある。【解決手段】  セルフサービスの給油システム１は、指定の油種及び油量と、前払い金額と、によって、給油機２１を制御する外設機３１と、利用者に追加入金を選択させて、追加入金額と、前金と、によって、給油代金の釣銭を払い出す精算機４１と、を備える。【選択図】      図１
2005047558.tif 000002
【特許請求の範囲】
【請求項１】
セルフサービスのガソリンスタンドで、給油する給油機と、給油機を制御する外設機と、給油代金を精算する精算機と、を備えるセルフサービスの給油システムにおいて、
指定の油種及び油量と前金とによって給油機を制御する外設機と、
利用者に追加入金するか否かを選択させて、追加入金額と前金と給油代金とによって、釣銭を払い出す精算機と、
を備えることを特徴とするセルフサービスの給油システム。
【請求項２】
前記外設機は、
給油完了したとき、前金と給油した油種及び油量と給油代金とを含む取引明細を文字コード及びバーコードでプリントした釣銭預かり券を発券することを特徴とする請求項１記載のセルフサービスの給油システム。
【請求項３】
前記精算機は、
利用者が前記釣銭預かり券を入力したとき、追加入金をするか否かの選択肢を提示し、前記追加入金を選択しないとき、前記前金と給油代金とによる釣銭額及び前記釣銭預かり券を払い出し、前記追加入金を選択するとき、追加入金額と前記前金と前記給油代金とによって精算した釣銭額と前記釣銭預かり券とを払い出すことを特徴とする請求項１記載のセルフサービスの給油システム。
【請求項４】
セルフサービスのガソリンスタンドで、給油する給油機と、給油機を制御する外設機と、給油代金を精算する精算機と、を備える給油システムにおいて、
指定の油種及び油量と前金とによって給油機を制御し、給油完了後、利用者に追加入金の選肢を提示して選択させる外設機と、
利用者が追加入金を選択したとき、追加入金額と前金と給油代金とによって釣銭を払い出す精算機と、
を備えることを特徴とするセルフサービスの給油システム。
【請求項５】
前記外設機は、
給油完了したとき、前金と給油した油種及び油量と給油代金と追加入金選択結果とを含む取引明細を文字コード及びバーコードでプリントした追加入金つき釣銭預かり券、あるいは追加入金なし釣銭預り券を発券することを特徴とする請求項４記載のセルフサービスの給油システム。
【請求項６】
前記精算機は、
前記追加入金なし釣銭預かり券によって、前記前金及び前記給油代金による釣銭と追加入金なし釣銭預かり券とを払い出し、追加入金つき釣銭預かり券によって、前記追加入金額を確認して、前記前金及び前記給油代金並びに前記追加入金額による釣銭額と前記追加入金付き釣銭預かり券とを払い出すことを特徴とする請求項４記載のセルフサービスの給油システム。
【請求項７】
前記精算機は、
追加入金される小銭を予め準備されている釣銭用小銭に加えて循環使用することを特徴とする請求項１及び請求項４記載のセルフサービスの給油システム。
【発明の詳細な説明】
【技術分野】
【０００１】
この発明は、セルフサービスの給油システムに関し、特に、精算機に追加入金機能を持たせて、釣銭用小銭の補給回数を減らすセルフサービスの給油システムに関する。
【背景技術】
【０００２】
従来のセルフサービスの給油システムでは、図５に示すように、給油機２０と、外設機３０と、精算機４０と、を備える。利用者は油種及び油量を注文し、該注文の金額より多目の前金を外設機３０に先払いする。外設機３０は注文の給油を完了すると、釣銭預かり券を発券する。この釣銭預り券は取引明細を含み、利用者の識別と、レシートの代用と、の役割がある。
【０００３】
利用者は、釣銭預かり券を精算機４０に入力すると、給油代金と前金との差額の釣銭が払い戻される仕組みになっている。従って、精算機４０は釣銭用の小銭が払い出される一方で、小銭の補給を頻繁にしなければならなくなる。
【０００４】
そこで、釣銭を支払う小銭が不足した状態では追加入金をさせて、釣銭を大きい金種で支払い、小銭の消耗を抑制する仕組みがある（例えば、特許文献１）。
【０００５】
更に、小銭で投入される追加入金を循環して使用し、釣銭用小銭の補給を減らす仕組みがある（例えば、特許文献２）。
【０００６】
【特許文献１】特開平１０−１９８８３５号公報（段落００３７及び図２）
【０００７】
【特許文献２】特開２００３−１７３４６４号公報（段落００２９及び図４）
【発明の開示】
【発明が解決しようとする課題】
【０００８】
セルフサービスのガソリンスタンドでは、利用者に対する従業員のサービスを省いて、経費を抑制している。そこで、従業員でなければできない作業に、精算機の釣銭用の小銭補給の問題がある。精算機では、必ず前金に対する釣銭支払が生じる。そこで、精算機に追加入金機能を設けて、精算するとき、精算金額の硬貨分に対し追加入金を利用者に促して入金させ、釣銭の支払をより大きい金種で支払うことによって小銭支払を減らし、小銭補給回数を減らす仕組みを導入する。また、追加入金された小銭を、予め準備された小銭に加えて循環使用する仕組みを取り入れる。
【０００９】
この発明の目的は、精算機に追加入金機能を設けて、釣銭の支払をより大きい金種で支払うことによって釣銭用の小銭支払を減らすことにある。
【００１０】
更に、他の目的は、精算機に蓄えられた釣銭用小銭と追加入金の小銭とを循環使用して、釣銭不足に陥ることを減らすことにある。
【００１１】
更に、他の目的は、釣銭用小銭の支払を減らして小銭補給回数を減らし、従業員作業を削減することにある。
【課題を解決するための手段】
【００１２】
そのため、この発明の、セルフサービスのガソリンスタンドで、給油する給油機と、給油機を制御する外設機と、給油代金を精算する精算機と、を備えるセルフサービスの給油システムにおいて、指定の油種及び油量と前金とによって給油機を制御する外設機と、利用者に追加入金するか否かを選択させて、追加入金額と前金と給油代金とによって釣銭を払い出す精算機と、を備えることを特徴とする。
【００１３】
更に、前記外設機は、給油完了したとき、前金と給油した油種及び油量と給油代金とを含む取引明細を文字コード及びバーコードでプリントした釣銭預かり券を発券することを特徴とする。
【００１４】
更に、前記精算機は、利用者が前記釣銭預かり券を入力したとき、追加入金をするか否かの選択肢を提示し、前記追加入金を選択しないとき、前記前金と給油代金とによる釣銭額及び前記釣銭預かり券を払い出し、前記追加入金を選択するとき、追加入金額と前記前金と前記給油代金とによって精算した釣銭額と前記釣銭預かり券とを払い出すことを特徴とする。
【００１５】
更に、前記精算機は、追加入金される小銭を予め準備されている釣銭用小銭に加えて循環使用することを特徴とする。
【発明の効果】
【００１６】
第１の効果は、利用者が嫌がる小銭での釣銭受け取りを抑制できるので、利用者サービスが向上することである。その理由は、精算機に追加入金して、釣銭をより大きい金種で受け取ることができるからである。
【００１７】
第２の効果は、精算機が小銭不足で釣銭支払ができず、給油サービスができない事態が減り、利用者サービスが向上することである。その理由は、精算機に対する追加入金の小銭と準備金の小銭とを循環使用して、釣銭不足になる事態を減らすことができるからである。
【００１８】
第３の効果は、精算機に対する小銭補給回数が減り、従業員作業を減らせることである。その理由は、精算機に対する追加入金によって釣銭用の小銭支払が減り、小銭不足の事態が減るからである。
【発明を実施するための最良の形態】
【００１９】
この発明を実施するための最良の形態について図面を参照して説明する。この形態の構成を示す図１を参照すると、セルフサービスの給油システム１は、石油やガソリンを給油する給油機２１と、利用者が油種と油量を指定して給油代金より多目の前金を投入し、油種と油量と前金の妥当性をチェックして、給油機２１を制御する外設機３１と、該前金と実際の給油代金との差額を精算して釣銭額を提示して追加入金を選択させ、追加入金する場合、該前金と給油代金と追加入金とで釣銭を計算して払い出す精算機４１とを備える。
【００２０】
外設機３１は給油完了で、釣銭預り券５１を発券する。該釣銭預り券５１には、油種と油量と前金と、を含む取引明細を文字コード及びバーコードでプリントして発券する。
【００２１】
精算機４１は、追加された入金の小銭を、予め釣銭用に準備されている小銭入れに戻して、循環使用する。
【００２２】
この形態の動作を図２を参照して説明する。利用者は、外設機３１に、油種と油量を指定して給油代金より多目の前金を投入する（図２のステップ１０１）。外設機３１は、油種と油量と前金との妥当性をチェックして、油種と油量に対して、前金が少ないなど妥当でないとき、再指定のため、ステップ１０１に戻る（ステップ１０２のＮ）。油種と油量に対して前金が多めで妥当であるとき、給油機は給油を開始する（ステップ１０３）。給油完了すると（ステップ１０４のＹ）、釣銭預り券５１を発券する（ステップ１０５）。
【００２３】
利用者は、該釣銭預り券５１を精算機４１に入力する（ステップ１０６）。精算機は、釣銭の金種を減らすため、追加入金するか否かの選択肢を提示し、利用者が追加入金しないとき（ステップ１０７のＮ）、前金と給油代金とで精算する（ステップ１０９）。利用者が追加入金するとき（ステップ１０７のＹ）、追加入金を確認して（ステップ１０８）、追加入金と前金と給油代金とで精算する（ステップ１０９）。精算機は、精算金額の釣銭と、レシートを兼ねる釣銭預り券と、を払い出す（ステップ１１０）。
【００２４】
次に、この形態の動作で、追加入金による釣銭が大きい金種に変更されて、利用者が小銭の釣銭を回避できることを、具体例で説明する。灯油販売を例に取ると、油種が灯油で油量１８リッターで、給油代金が７１１円である場合、紙幣で、１０００円の前金を外設機３１に入れると、精算機４１で２８９円の釣銭が発生する。釣銭として支払われる硬貨は、１００円２枚、５０円１枚、１０円３枚、５円１枚、１円４枚が支払われる。精算機４１に、各硬貨が１００枚づつ釣銭として準備されているとすると、１円が２５回の売上げにより無くなり、追加補充しなければならないことになる。硬貨の追加入金を客に選択させることで７１１円の端数部分である１１円分を利用者が追加入金すると、１００円硬貨で３００円支払になり、１０円、１円の硬貨の支払が抑えられる。また、利用者は、小銭を使って、大きい金種で釣銭を受け取ることができる。
【実施例１】
【００２５】
この発明の最良の形態を変更した実施例１を図３を参照して説明する。セルフサービスの給油システム２は、石油やガソリンを給油する給油機２１と、利用者が油種と油量を指定して給油代金より多目の前金を投入し、油種と油量と前金の妥当性をチェックして給油機２１を制御し、給油完了で釣銭に対する追加入金の選択肢を提示し、利用者が追加入金を選択したとき、追加入金つきの釣銭預り券５２を発券し、利用者が追加入金を選択しないとき、追加入金なし釣銭預り券５３を発券する外設機３２と、追加入金つき釣銭預り券５２を入力したとき、利用者の追加入金を確認して、前金と実際の給油代金と追加入金とで精算して、釣銭を払い出し、追加入金なし釣銭預り券５３を入力したとき、前金と実際の給油代金とで、釣銭を精算する精算機４２と、を備える。
【００２６】
外設機３１は給油完了で、利用者の選択によって、追加入金つき釣銭預り券５２、あるいは追加入金なし釣銭預かり券５３を発券する。該釣銭預り券５２及び５３には、油種と油量と前金と追加入金の有無とを含む取引明細を文字コード及びバーコードでプリントして発券する。精算機４２は、追加された入金の小銭を、予め釣銭用に準備されている小銭入れに戻して、循環使用する。
【００２７】
この実施例１の動作を図４を参照して説明する。利用者は、外設機３２に油種と油量とを指定して給油代金より多目の前金を投入する（図４のステップ２０１）。外設機３１は、油種と油量と前金の妥当性をチェックして、油種と油量に対して、前金の額が少ないなど妥当でないとき、再指定のため、ステップ２０１に戻る（ステップ２０２のＮ）。油種と油量に対して前金の額が多めで妥当であるとき、給油機は給油を開始する（ステップ２０３）。給油完了すると（ステップ２０４のＹ）、追加入金の選択肢を提示する。追加入金をしないとき（ステップ２０６のＮ）、追加入金なし釣銭預り券５３を発券する（ステップ２０８）。追加入金をするとき（ステップ２０６のＹ）、追加入金つき釣銭預り券５２を発券する（ステップ２０７）。
【００２８】
利用者は、追加入金つき釣銭預り券５２あるいは追加入金なし釣銭預り券５３を精算機４２に入力する（ステップ２０９）。追加入金つき釣銭預り券５２のとき（ステップ２１０のＹ）、入金を確認して（ステップ２１１）、前金と給油代金と追加入金とによって、精算し（ステップ２１２）、釣銭と追加入金つき釣銭預かり券５２とを払い出す（ステップ２１３）。追加入金なし釣銭預り券５３のとき（ステップ２１０のＮ）、前金と給油代金とによって、精算し（ステップ２１２）、釣銭と追加入金なし釣銭預り券５３とを払い出す（ステップ２１３）。
【産業上の利用可能性】
【００２９】
セルフサービスで精算機を利用する自動販売機や無人スタンドやガソリンスタンドに適用できる。
【図面の簡単な説明】
【００３０】
【図１】この発明の最良の実施の形態のセルフサービスの給油システムの構成を示す図である。
【図２】図１の動作を示すフローチャートである。
【図３】この発明の実施例１のセルフサービスの給油システムの構成を示す図である。
【図４】図３の動作を示すフローチャートである。
【図５】従来のセルフサービスの給油システムの例示である。
【符号の説明】
【００３１】
１    セルフサービスの給油システム
２１    給油機
３１    外設機
４１    精算機
５１    釣銭預り券
【図１】
2005047558.tif 000003
【図２】
2005047558.tif 000004
【図３】
2005047558.tif 000005
【図４】
2005047558.tif 000006
【図５】
2005047558.tif 000007